(57)【要約】 二軸延伸フィルムからなり且つ容易に分割可能であるセパレータを有する粘着剤層付保護フィルムを提供する。 本発明によれば、粘着剤層付きフィルムと、前記フィルムに貼り合わされたセパレータとを備え、前記セパレータは、二軸延伸フィルムからなり、且つ前記セパレータの分割のガイドとなるガイド溝を有することを特徴とするセパレータ付き粘着剤層付保護フィルムが提供される。
2014030549.tif 000002
【特許請求の範囲】
【請求項１】
粘着剤層付きフィルムと、前記フィルムに貼り合わされたセパレータとを備え、
前記セパレータは、二軸延伸フィルムからなり、且つ前記セパレータの分割のガイドとなるガイド溝を有することを特徴とするセパレータ付き粘着剤層付保護フィルム。
【請求項２】
前記セパレータは、前記ガイド溝に沿って前記セパレータを分割するきっかけとなる分割開始部を有する請求項１に記載のフィルム。
【請求項３】
前記分割開始部は、切れ目、切欠き、又は前記ガイド溝よりも深い溝である請求項２に記載のフィルム。
【請求項４】
前記分割開始部は、前記セパレータの端部から前記ガイド溝に向かって延びる請求項２又は３に記載のフィルム。
【請求項５】
前記分割開始部は、前記ガイド溝と非接触である請求項２〜４の何れか１つに記載のフィルム。
【請求項６】
前記分割開始部は、前記ガイド溝を挟む少なくとも２箇所に設けられている請求項３又は４に記載のフィルム。
【請求項７】
前記ガイド溝は、実質的に平行するように少なくとも２箇所に設けられている請求項１〜６の何れか１つに記載のフィルム。
【発明の詳細な説明】
【技術分野】
【０００１】
本発明は、液晶画面等を保護する粘着剤層付保護フィルムと、この保護フィルムに貼り合わされて前記保護フィルムの粘着剤層を保護するためのセパレータとを備えるセパレータ付き粘着剤層付保護フィルムに関する。
【背景技術】
【０００２】
従来の技術思想では、液晶画面等を保護する目的で使用者が粘着剤層付き保護フィルムを貼り付ける場合、液晶画面の大きさに合わせて正確に貼り付ける作業が必要であったが、貼り付け位置の設定が困難であった。【０００３】
液晶画面等に合わせて保護フィルムを貼る場合、従来はセパレータを全て剥がして貼り付ける作業を行っていた。この場合保護フィルムの粘着層面に手の汚れが付着しやすく、また大まかな位置合わせしか出来なかった。【０００４】
このような課題を解決するために、セパレータに一軸延伸フィルムを用いることで容易にセパレータを複数に分離、分割することができるようにする技術が知られている（例えば特許文献１を参照）。
【先行技術文献】
【特許文献】
【０００５】
【特許文献１】特開２０１１−２４１３７０号公報
【発明の概要】
【発明が解決しようとする課題】
【０００６】
しかし、一軸延伸フィルムは、流通量が少なく、粘着剤層付保護フィルムのセパレータとして要求される特性（例：非常に高い平坦度）を満足するフィルムの入手は必ずしも容易ではない。【０００７】
そこで、一軸延伸フィルムの代わりに二軸延伸フィルムを用いてセパレータを作製することを試みた。しかし、二軸延伸フィルムは、一軸延伸フィルムとは違って、一方向の引き裂きが容易に出来るという特性を有していないので、これを用いたセパレータは、きれいに分割することが容易ではない。【０００８】
本発明はこのような事情に鑑みてなされたものであり、二軸延伸フィルムからなり且つ容易に分割可能であるセパレータを有する粘着剤層付保護フィルムを提供するものである。
【課題を解決するための手段】
【０００９】
本発明によれば、粘着剤層付きフィルムと、前記フィルムに貼り合わされたセパレータとを備え、
前記セパレータは、二軸延伸フィルムからなり、且つ前記セパレータの分割のガイドとなるガイド溝を有することを特徴とするセパレータ付き粘着剤層付保護フィルムが提供される。【００１０】
二軸延伸フィルムにガイド溝を形成することによって、このガイド溝に沿って二軸延伸フィルムをきれいに分割することが容易である。従って、このようなガイド溝を形成した二軸延伸フィルムをセパレータとして用いることによって、二軸延伸フィルムからなり且つ容易に分割可能であるセパレータを有する粘着剤層付保護フィルムが得られる。【００１１】
利用時には、ガイド溝に沿ってセパレータを分割して、セパレータを部分的に剥がすことによって、粘着剤層を部分的に露出させ、露出させた粘着剤層を液晶画面等に貼り付ける。その後、セパレータの残りの部分を剥がして、露出した粘着剤層を液晶画面に貼り付ける。このような方法で保護フィルムを貼り付けると、位置決めの際に粘着層面に指が触れないため粘着層面が汚れることもなく、容易に正確な位置に保護フィルムを貼り付けることが可能になる。【００１２】
本発明によれば、従来の一軸延伸フィルムを二軸延伸フィルムに置き換えることができ、これによって、入手安定性、入手コスト低減、製造コスト低減などと言った効果が得られる。また、二軸延伸フィルムは、一軸延伸フィルムよりも硬度が高いので、セパレータ付き粘着剤層付保護フィルムに対して打ち抜きにより穴を形成する際に、穴の周囲で保護フィルムの変形が起こりにくいという利点も得られる。また、一軸延伸フィルムを用いたセパレータは裂けやすいので、粘着剤層付きフィルムとセパレータとをロール・ツー・ロールで貼り合わせる際の速度を低くする必要があったが、二軸延伸フィルムを用いたセパレータは避けにくいので、この貼り合わせの際の速度を高めることができ、製造効率を向上させることができる。【００１３】
以下、本発明の種々の実施形態を例示する。以下の実施形態は、互いに組み合わせ可能である。
好ましくは、前記セパレータは、前記ガイド溝に沿って前記セパレータを分割するきっかけとなる分割開始部を有する。
好ましくは、前記分割開始部は、切れ目、切欠き、又は前記ガイド溝よりも深い溝である。
好ましくは、前記分割開始部は、前記セパレータの端部から前記ガイド溝に向かって延びる。
好ましくは、前記分割開始部は、前記ガイド溝と非接触である。
好ましくは、前記分割開始部は、前記ガイド溝を挟む少なくとも２箇所に設けられている。
好ましくは、前記ガイド溝は、実質的に平行するように少なくとも２箇所に設けられている。
【図面の簡単な説明】
【００１４】
【図１】本発明の一実施形態（分割開始部は切れ目）のセパレータ付き粘着剤層付保護フィルムの平面図である。
【図２】図１中のＡ−Ａ線切断部端面図である。
【図３】セパレータの中央部が矢印Ｘ方向に引っ張られる状態を示す図１の右側面図である。
【図４】分割開始部が切欠きである実施形態の平面図である。
【図５】ガイド溝に沿ってセパレータの分割が進む状態を示す平面図である。
【図６】ガイド溝に沿ってセパレータの分割が進む状態を示す斜視図である。
【図７】セパレータの中央部が矢印Ｙ方向に引っ張られる状態を示す図１の右側面図である。
【図８】セパレータの中央部が矢印Ｙ方向に引っ張られた際のセパレータの分割状態を示す平面図である。
【図９】各ガイド溝に切れ目が一つだけ形成されている実施形態の平面図である。
【図１０】切れ目がガイド溝に接触している実施形態の平面図である。
【図１１】切れ目がガイド溝を超えている状態を示す平面図である。
【図１２】図１１の状態の場合に、セパレータが不規則に分割される状態を示す平面図である。
【図１３】ガイド溝と切れ目の相対位置が上下方向にずれた状態を示す平面図である。
【図１４】切欠きと切れ目の相対位置が上下方向にずれた状態を示す平面図である。
【図１５】図１４の状態の場合、セパレータが不規則に分割される状態を示す平面図である。
【図１６】ガイド溝が１本である実施形態を示す平面図である。
【発明を実施するための最良の形態】
【００１５】
以下、本発明の実施形態について説明する。以下の示す実施形態は、例示であって、本発明は、以下の実施形態に限定されない。【００１６】
図１は、本発明の一実施形態のセパレータ付き粘着剤層付保護フィルムの構成を示す平面図であり、図２は、図１中のＡ−Ａ線切断部端面図であり、図３は、図１の右側面図である。【００１７】
本実施形態のセパレータ付き粘着剤層付保護フィルムは、粘着剤層付きフィルム１と、このフィルム１に貼り合わされたセパレータ３とを備え、セパレータ３は、二軸延伸フィルムからなり、且つセパレータ３の分割のガイドとなるガイド溝５を有する。粘着剤層付きフィルム１は、基材１ａと粘着剤層１ｂとで構成されており、粘着剤層１ｂ側の面がセパレータ３に貼り合わされている。【００１８】
粘着剤層付きフィルム１としては、液晶画面等の保護に利用可能な平坦性や透明性を有するものを利用することができ、その構成は特に限定されない。【００１９】
セパレータ３は、二軸延伸フィルムからなる。本発明において、二軸延伸フィルムを利用する最大の理由は、その入手の容易さである。二軸延伸フィルムの流通量は、一軸延伸フィルムよりもはるかに多いので、粘着剤層付保護フィルム用のセパレータとして所望される特性（平坦度、厚さ、強度等）を有するものを入手することがはるかに容易である。そのため、本発明の「二軸延伸フィルム」は可能な限り広く解釈すべきであり、セパレータ３としての機能を発揮する限り、その材料や延伸倍率は特に限定されず、縦横の延伸倍率が異なっていてもよい。【００２０】
二軸延伸フィルムをセパレータ３に用いることの問題点は、二軸延伸フィルムではポリマーが一方向に配向されていないので、一軸延伸フィルムとは違って、まっすぐに切断することは容易でないことであるが、この問題点は、セパレータ３にガイド溝５を形成し、このガイド溝５に沿ってセパレータ３を分割するようにすれば、二軸延伸フィルムを用いることの上記問題点が解消される。【００２１】
セパレータ３に形成するガイド溝５の幅や深さは、このガイド溝５に沿ってセパレータ３が適切に分割されるように適宜設定される。図２では、ガイド溝５の深さは、セパレータ３の厚さの半分程度となっているが、ガイド溝５がその機能を発揮する限り、これよりも深くても浅くてもよい。但し、ガイド溝５は、粘着剤層１ｂには到達しないことが好ましい。ガイド溝５が粘着剤層１ｂに到達すると、粘着剤層１ｂが外気にさらされて劣化して、フィルム１を液晶画面等に貼り付けたときに、ガイド溝５に対応した位置にラインが現れる場合があるからである。【００２２】
また、セパレータ３は、ガイド溝５に沿ってセパレータ３を分割するきっかけとなる分割開始部を有する。分割開始部が無くても、本発明の実施は可能であるが、セパレータ３が厚い場合や、ガイド溝５がセパレータ３の端にまで到達していない場合などには、ガイド溝５に沿ってセパレータ３を分割することが容易でない（大きな力を必要とする）場合がある。そこで、セパレータ３に分割開始部を設け、分割開始部を起点にしてセパレータ３を分割するようにすれば、セパレータ３を容易に分割することができる。【００２３】
分割開始部は、セパレータ３の分割の起点になるものであれば、その構成は特に限定されず、切れ目７、切欠き１１、又はガイド溝５よりも深い溝の何れであってもよい。切れ目は、セパレータ３をライン状に切断した箇所を意味し、切欠きは、図４に示すように、その先端に頂点が形成されるようにセパレータ３を切り抜いた箇所を意味する。ガイド溝５よりも深い溝とは、例えば、セパレータ３の厚さの大部分（例えば、９０％）に相当する深さの溝である。このような深い溝を形成すると、セパレータ３はこの溝において容易に切断されるので、切れ目７と同様に分割開始部として機能する。【００２４】
本実施形態では、分割開始部は、セパレータ３の端部からガイド溝５に向かって延びる切れ目７である。本実施形態では、ガイド溝５は、実質的に平行に２本設けられており、各ガイド溝５に対して、ガイド溝５を挟むように切れ目７が２箇所（ガイド溝５に対して、セパレータ３の中央に近い側の切れ目７ａと、中央から離れた側の切れ目７ｂ）設けられている。また、ガイド溝５の両端に、２箇所ずつの切れ目７が設けられているので、１本のガイド溝５に対して合計４つの切れ目７が設けられている。【００２５】
セパレータ３の、２本のガイド溝５で挟まれた中央部３ａを把持して、図３の矢印Ｘの方向（フィルム１の反対側の方向）に引っ張ると、中心から離れた方の２箇所の切れ目７ａからガイド溝５に向かってセパレータ３の分割が開始され、切れ目がガイド溝５に到達すると、以降は、図５〜図６に示すように、ガイド溝５に沿ってセパレータ３の分割が進んで、セパレータ３の中央部３ａを剥がし取ることができる。【００２６】
ガイド溝５の両端に２箇所ずつの切れ目７を設けているのは、セパレータ３のどちらの側面からでもセパレータ３の中央部３ａを剥がし取ることができるようにして、左利きと右利きの両方のユーザーにとって使いやすくするためである。【００２７】
また、ガイド溝５の両側に切れ目７ａと切れ目７ｂを設けている理由は、図７に示すように、ユーザーが斜め方向にセパレータ３の中央部３ａを引っ張った場合に、外側の２つの切れ目７ａから分割が開始されるのではなく、図８に示すように、ユーザーの引張り方向に近い方向に延びる２つの切れ目７ａと切れ目７ｂから分割が始まるようになり、セパレータ３をよりスムーズに分割することが可能になるからである。【００２８】
このように、各ガイド溝５に設ける切れ目７は、４つであることが好ましいが、ガイド溝５の一端にのみ切れ目７ａ及び７ｂを設けてもよく、図９に示すように切れ目７を１つだけ設けてもよい。【００２９】
また、図１では、切れ目７とガイド溝５は非接触になっており、セパレータ３の分割開始直後は、ガイドのない状態でセパレータ３が分割されるが、すぐに切れ目がガイド溝５に到達して、一方向の分割が実現される。【００３０】
切れ目７とガイド溝５は、図１０に示すように接触していてもよい。この場合、セパレータ３の分割開始直後からガイド溝５に沿って分割が進むという利点がある。但し、製造上の公差などが原因で、図１１の点線円７ｃに示すように、切れ目７が僅かでもガイド溝５を超えてしまうと、図１２に示すように、セパレータ３はガイド溝５に沿って分割されず、セパレータ３が不規則に分割されてしまうという問題がある。本実施形態では、切れ目７とガイド溝５を非接触にして、両者の間にスペースを設けることによって、製造上の公差などが原因で切れ目７の位置がばらついた場合でも、切れ目７がガイド溝５を超えることを確実に防いでいる。【００３１】
また、図１３に示すように、切れ目７の位置が上下に多少ずれてもその機能には影響を与えないが、図１４に示すように切欠き１１の位置が上下に少しでもずれると、切欠き１１からの分割がガイド溝５に伝わらず、図１５に示すように、セパレータ３が不規則に分割されてしまう。従って、切欠き１１を形成する場合に比べて、切れ目７を形成する場合は、ガイド溝５切れ目７との位置合わせを厳密に行う必要がなく、製造効率の向上に繋がる。【００３２】
また、ガイド溝５の数は、図１６に示すように１本でもよい。この場合、セパレータ３の下側部３ｂを把持して、図１６の紙面奥側に引っ張ることによって、セパレータ３を分割して下側部３ｂのみを剥がし取ることができる。
【符号の説明】
【００３３】
１：粘着剤層付きフィルム、１ａ：基材、１ｂ：粘着剤層、３：セパレータ、５：ガイド溝、７：切れ目、７ａ：ガイド溝よりも外側の切れ目、７ｂ：ガイド溝よりも中央寄りの切れ目、１１：切欠き
【図１】
2014030549.tif 000003
【図２】
2014030549.tif 000004
【図３】
2014030549.tif 000005
【図４】
2014030549.tif 000006
【図５】
2014030549.tif 000007
【図６】
2014030549.tif 000008
【図７】
2014030549.tif 000009
【図８】
2014030549.tif 000010
【図９】
2014030549.tif 000011
【図１０】
2014030549.tif 000012
【図１１】
2014030549.tif 000013
【図１２】
2014030549.tif 000014
【図１３】
2014030549.tif 000015
【図１４】
2014030549.tif 000016
【図１５】
2014030549.tif 000017
【図１６】
2014030549.tif 000018
【国際調査報告】
2014030549.tif 000019
2014030549.tif 000020
2014030549.tif 000021
2014030549.tif 000022